【手続補正書】
【提出日】平成25年3月15日(2013.3.15)
【手続補正１】
【補正対象書類名】特許請求の範囲
【補正対象項目名】全文
【補正方法】変更
【補正の内容】
【特許請求の範囲】
【請求項１】
検知帯域内における機械的相互作用の位置特性と範囲特性を指示する電気信号を生成するためのセンサであって、該センサが複数の導電層を含み、少なくとも：
第１の導電領域と電気的に接続している第１電気端子と第２電気端子を備え且つ該第１電気端子と該第２電気端子の間に電気ポテンシャルの傾きを第１方向に確定させる当該第１の導電領域を有する第１の導電層を含む第１のシートと、
第２の導電領域と電気的に接続している第３電気端子を備える第２の導電領域を有する第２の導電層を含む第２のシートを有し;
前記センサが、前記検知帯域内における機械的相互作用の間、前記第１の導電領域と前記第２の導電領域の間で電気経路が確定するように構成され;
前記第１のシートと前記第２のシートの少なくとも１つが量子トンネル効果伝導性（ｑｔｃ）材料を含む感圧導電層を含み、そして
前記センサが、前記検知帯域内において機械的相互作用が存在しない間、導電層間の接触が可能なように構成される、センサ。
【請求項２】
前記第３電気端子がシート端子である請求項１記載のセンサ。
【請求項３】
前記第２の導電領域が、前記第２の導電領域と電気的に接続している第４電気端子を備え、前記第３電気端子と前記第４電気端子の間に電気ポテンシャルの傾きを前記第１方向と実質的に垂直な第２方向に確定し得るように構成される請求項１記載のセンサ。
【請求項４】
前記第１の導電層は複数の導電行を表わし、各行は他の行から電気的に絶縁され、各行は電気的に接続している第１電気端子と第２電気端子を備え、前記第１電気端子と前記第２電気端子の間に電気ポテンシャルの傾きを第１方向に確定し得るように構成され、
前記第２の導電層は複数の導電列を表わし、各列は他の列から電気的に絶縁され、各列は電気的に接続している第３電気端子と第４電気端子を備え、前記第３電気端子と前記第４電気端子の間に電気ポテンシャルの傾きを前記第１方向と実質的に垂直な第２方向に確定し得るように構成される、請求項３記載のセンサ。
【請求項５】
量子トンネル効果伝導性（ｑｔｃ）材料を含む第１の感圧導電層が前記第１の導電層を提供し、
量子トンネル効果伝導性（ｑｔｃ）材料を含む第２の感圧導電層が前記第２の導電層を提供し、
前記センサが前記第１の導電層と前記第２の導電層だけを有する請求項１記載のセンサ。
【請求項６】
前記感圧導電層が、前記第１の導電層と前記第２の導電層の間に配置された第３の導電層を提供する請求項１記載のセンサ。
【請求項７】
量子トンネル効果伝導性（ｑｔｃ）材料を含む第２の感圧導電層が第４の導電層を提供し、前記第４の導電層と前記第２の導電層が前記第１のシートから分離されたシートとして構成される請求項６記載のセンサ。
【請求項８】
前記範囲特性が、付与力の大きさ、付与圧力の大きさ、機械的相互作用の領域のうちの１つである請求項１記載のセンサ。
【請求項９】
前記センサが、フィルム中で折り畳まれて分離された第１の部分と第２の部分を含む当該フィルムを有し、前記第１のシートが前記第１の部分を含み、前記第２のシートが前記第２の部分を含む請求項１記載のセンサ。
【請求項１０】
前記検知帯域が３次元であり、当該センサが複数の成型部品の組み合わせから構成される請求項１記載のセンサ。
【請求項１１】
少なくとも１つの導電層が織物繊維を含む請求項１記載のセンサ。
【請求項１２】
センサの検知帯域内における機械的相互作用の位置特性と範囲特性を指示する電気信号を生成する方法であって、
請求項１のセンサを受け、
前記第１電気端子と前記第２電気端子の間に前記第１の導電層を横切って電気ポテンシャルの傾きを第１方向に確定し、
前記第３電気端子から第１電圧を受けて第１の位置値を生成し、
前記第１の位置値を処理して機械的相互作用の第１の位置特性を生成し、
前記第１の導電層の前記第１電気端子及び前記第２電気端子の１つから電気ポテンシャルを確定して第１電流を生成し、
前記第２の導電層の前記第３電気端子から前記第１電流を測定して第１電流値を生成し、
前記第１の導電層の前記第１電気端子及び前記第２電気端子の他の１つから電気ポテンシャルを確定して第２電流を生成し、
前記第２の導電層の前記第３電気端子から前記第２電流を測定して第２電流値を生成し、
前記第１電流値と組み合わせて前記第２電流値を処理して機械的相互作用の範囲特性を生成する、各ステップを含む方法。
【請求項１３】
センサの検知帯域内における機械的相互作用の位置特性と範囲特性を指示する電気信号を生成する方法であって、
請求項３のセンサを受け、
前記第１電気端子と前記第２電気端子の間に前記第１の導電層を横切って電気ポテンシャルの傾きを前記第１方向に確定し、
前記第２の導電層の前記第３電気端子及び前記第４電気端子の１つから第１電圧を受けて第１の位置値を生成し、
前記第１の位置値を処理して機械的相互作用の第１の位置値を生成し、
前記第３電気端子と前記第４電気端子の間に前記第２の導電層を横切って電気ポテンシャルの傾きを前記第２方向に確定し、
前記第１の導電層の前記第１電気端子及び前記第２電気端子の１つから第２電圧を受けて第２の位置値を生成し、
前記第２の位置値を処理して機械的相互作用の第２の位置値を生成し、
前記第１の導電層の前記第１電気端子及び前記第２電気端子の１つから電気ポテンシャルを確定して第１電流を生成し、
前記第２の導電層の前記第３電気端子及び前記第４電気端子の１つから電流を測定して第１電流値を生成し、
前記第１の導電層の前記第１電気端子及び前記第２電気端子の他の１つから電気ポテンシャルを確定して第２電流を生成し、
前記第２の導電層の前記第３電気端子及び前記第４電気端子の他の１つから前記第２電流を測定して第２電流値を生成し、
前記第１電流値と組み合わせて前記第２電流値を処理して機械的相互作用の範囲特性を生成する、各ステップを含む方法。
【請求項１４】
感圧導電層を含む前記第３の導電層が、塗布、塗装、ブラッシング、展延の群から選ばれた工程によって前記第１の導電層上に形成される請求項６又は請求項７のセンサを製造する方法。
【請求項１５】
感圧導電層を含む前記第３の導電層が、スクリーン印刷、孔版印刷、ドクターブレーディング、インクジェットプリンティング又はマイヤーバー技術による付与の群から選ばれた工程によって前記第１の導電層上に形成される請求項６又は請求項７のセンサを製造する方法。
【手続補正２】
【補正対象書類名】明細書
【補正対象項目名】０００７
【補正方法】変更
【補正の内容】
【０００７】
［発明の簡単な説明］
本発明の第１の観点によれば、検知帯域内における機械的相互作用の位置特性と範囲特性を指示する電気信号を生成するためのセンサであって、該センサが複数の導電層を含み、少なくとも：第１の導電領域と電気的に接続している第１電気端子と第２電気端子を備え且つ該第１電気端子と該第２電気端子の間に電気ポテンシャルの傾きを第１方向に確定させる当該第１の導電領域を有する第１の導電層を含む第１のシートと、第２の導電領域と電気的に接続している第３電気端子を備える第２の導電領域を有する第２の導電層を含む第２のシートを有し;前記センサが、前記検知帯域内における機械的相互作用の間、前記第１の導電領域と前記第２の導電領域の間で電気経路が確定するように構成され;前記第１のシートと前記第２のシートの少なくとも１つが量子トンネル効果伝導性（ｑｔｃ）材料を含む感圧導電層を含み、そして、前記センサが、前記検知帯域内において機械的相互作用が存在しない間、導電層間の接触が可能なように構成される、センサが提供される。
【手続補正３】
【補正対象書類名】明細書
【補正対象項目名】０００９
【補正方法】変更
【補正の内容】
【０００９】
本発明の第３の観点によれば、上記本発明の第１の観点において、前記第２の導電領域が、前記第２の導電領域と電気的に接続している第４電気端子を備え、前記第３電気端子と前記第４電気端子の間に電気ポテンシャルの傾きを前記第１方向と実質的に垂直な第２方向に確定し得るように構成されるセンサが提供される。
【手続補正４】
【補正対象書類名】明細書
【補正対象項目名】００１１
【補正方法】変更
【補正の内容】
【００１１】
本発明の第５の観点によれば、センサの検知帯域内における機械的相互作用の位置特性と範囲特性を指示する電気信号を生成する方法であって、上記本発明の第３の観点に係るセンサを受け、前記第１電気端子と前記第２電気端子の間に前記第１の導電層を横切って電気ポテンシャルの傾きを前記第１方向に確定し、前記第２の導電層の前記第３電気端子及び前記第４電気端子の１つから第１電圧を受けて第１の位置値を生成し、前記第１の位置値を処理して機械的相互作用の第１の位置値を生成し、前記第３電気端子と前記第４電気端子の間に前記第２の導電層を横切って電気ポテンシャルの傾きを前記第２方向に確定し、前記第１の導電層の前記第１電気端子及び前記第２電気端子の１つから第２電圧を受けて第２の位置値を生成し、前記第２の位置値を処理して機械的相互作用の第２の位置値を生成し、前記第１の導電層の前記第１電気端子及び前記第２電気端子の１つから電気ポテンシャルを確定して第１電流を生成し、前記第２の導電層の前記第３電気端子及び前記第４電気端子の１つから電流を測定して第１電流値を生成し、前記第１の導電層の前記第１電気端子及び前記第２電気端子の他の１つから電気ポテンシャルを確定して第２電流を生成し、前記第２の導電層の前記第３電気端子及び前記第４電気端子の他の１つから前記第２電流を測定して第２電流値を生成し、前記第１電流値と組み合わせて前記第２電流値を処理して機械的相互作用の範囲特性を生成する、各ステップを含む方法が提供される。